(57)【要約】【課題】コネクタカバーを組み付ける際の操作力を小さくすることができ、組み立てを容易にすることが可能なコネクタを提供する。【解決手段】コネクタ１は、電線引き出し側に防水栓３が設けられコネクタカバー４で覆われる。コネクタカバー４は、基体カバー１１と、防水栓押えカバー１２と、電線押えカバー１３とで形成され、基体カバー１１は、本体部２１と、防水栓押え壁２３とを備え、防水栓押えカバー１２は、コネクタハウジング２側で基体カバー１１の開口部１１ａを覆った状態で防水栓３をコネクタハウジング２側へ押圧する防水栓押え壁３１を備え、電線押えカバー１３は、基体カバー１１との間で電線８を屈曲させて挟持する電線押え壁３５を備える。防水栓押えカバー１２が基体カバー１１と共に防水栓３をコネクタハウジング２側へ押圧した後に電線押えカバー１３が基体カバー１１とで電線を屈曲・挟持する。【選択図】図２
2010086913.tif 000002
【特許請求の範囲】
【請求項１】
電線端末の端子が収容されるコネクタハウジングの前記電線引き出し側に電線が挿通されコネクタハウジング内への水の侵入を阻止する防水栓が設けられ、該防水栓を含む前記電線引き出し側がコネクタカバーで覆われるコネクタであって、
前記コネクタカバーは、前記コネクタハウジングの電線引き出し側に組み付けられ一側面が開口した基体カバーと、この基体カバーの前記開口部をコネクタハウジング側で覆う防水栓押えカバーと、前記基体カバーの前記開口部を電線引き出し側で覆う電線押えカバーとで形成され、
前記基体カバーは、一面側が開口された本体部と、この本体部に一体に形成され前記防水栓を前記コネクタハウジング側へ押圧する防水栓押え壁とを備え、
前記防水栓押えカバーは、前記コネクタハウジング側で前記基体カバーの開口部を覆った状態で前記防水栓をコネクタハウジング側へ押圧する防水栓押え壁を備え、
前記電線押えカバーは、前記基体カバーとの間で電線を屈曲させて挟持する電線押え壁を備え、
前記防水栓押えカバーが前記基体カバーと共に防水栓をコネクタハウジング側へ押圧した後に前記電線押えカバーが前記基体カバーとで電線を屈曲・挟持することを特徴とするコネクタ。
【請求項２】
請求項１記載のコネクタであって、
前記防水栓押えカバーと前記電線押えカバーは、前記基体カバーの一側部にヒンジを介して一体に成形されていることを特徴とするコネクタ。
【請求項３】
請求項１または２記載のコネクタであって、
前記防水栓押えカバーと前記基体カバーには、前記コネクタハウジングの電線引き出し側に挿入されて前記防水栓を径方向に押圧するくさび形状の防水栓押圧片が形成されていることを特徴とするコネクタ。
【請求項４】
請求項１〜３のいずれか一項記載のコネクタであって、
前記基体カバーには第１係合突起と第２係合突起とが設けられ、前記防水栓押えカバーには前記第１係合突起と係合する第１係合枠が設けられ、前記電線押えカバーには前記第２係合突起と係合する第２係合枠が設けられていることを特徴とするコネクタ。
【請求項５】
請求項１〜４のいずれか一項に記載のコネクタであって、
前記電線押え壁は、防水栓押えカバー側に設けられた前壁と、この前壁より長くなっており前記基体カバーの電線引き出し口側に設けられた後壁と、前壁と後壁とを連結し防水栓押えカバー側から基体カバーの底部にかけて下り傾斜の傾斜連結部とからなることを特徴とするコネクタ。
【発明の詳細な説明】
【技術分野】
【０００１】
本発明は、コネクタカバーを備えたコネクタに関する。
【背景技術】
【０００２】
コネクタハウジングの後端部に装着されて防水機能等を発揮するコネクタカバーを備えたコネクタとしては、特許文献１，２に開示されている。
【０００３】
特許文献１に記載されたコネクタでは、電線が挿通する第１カバーと、第１カバーにヒンジを介して可動可能に連結された第２カバーとによってコネクタカバーが形成されている。そして、第１カバーの上面から電線押えリブが起立し、この電線押えリブと共に電線を挟んで屈曲させる電線押えリブが第２カバーの対向面から起立した構造となっている（特許文献１の図２参照）。
【０００４】
特許文献２に記載されたコネクタは、電線が挿通する第１カバーと、第１カバーを覆う蓋状となっており、第１カバーにヒンジを介して回動可能に連結された第２カバーとによってコネクタカバーが形成されている。第１カバー及び第２カバーには、特許文献１と同様に電線押えリブが起立して設けられている（特許文献２の図３参照）。
【０００５】
これらの特許文献１，２において、コネクタカバーをコネクタハウジング後端に装着するには、端末に端子が取り付けられた電線を第１カバーに挿通させた後、コネクタカバーの後端にコネクタハウジングを挿入する。そして、第２カバーを回動させて第１カバーに第２カバーを結合させてロックする。このカバーの結合により、第１カバー及び第２カバーに設けた電線押えリブが電線を挟んで屈曲させるため、電線が抜け止めされる。
【０００６】
以上の特許文献において、防水機能を向上させる必要がある場合には、電線を防水栓に挿通させ、この防水栓をコネクタカバー内に挿入して第１カバー及び第２カバーにより押圧する構造となる。この防水栓の押圧は、第２カバーを第１カバーに結合する際になされるものである。
【特許文献１】特開平１１−１９１４４６号公報
【特許文献２】特開平１１−１９１４４２号公報
【発明の開示】
【発明が解決しようとする課題】
【０００７】
しかしながら、従来のコネクタでは、電線の屈曲と、防水栓の押圧とを同時に行っているため、カバーを結合させるための操作力が大きくなり、コネクタへのカバーの組み付けが困難となる問題がある。
【０００８】
そこで、本発明は、電線が防水栓を有する構造であっても、コネクタへのカバーを組み付ける際の操作力を小さくすることができ、その組み立てを容易にすることが可能なコネクタを提供することを目的とする。
【課題を解決するための手段】
【０００９】
請求項１記載の発明は、電線端末の端子が収容されるコネクタハウジングの前記電線引き出し側に電線が挿通されコネクタハウジング内への水の侵入を阻止する防水栓が設けられ、該防水栓を含む前記電線引き出し側がコネクタカバーで覆われるコネクタであって、前記コネクタカバーは、前記コネクタハウジングの電線引き出し側に組み付けられ一側面が開口した基体カバーと、この基体カバーの前記開口部をコネクタハウジング側で覆う防水栓押えカバーと、前記基体カバーの前記開口部を電線引き出し側で覆う電線押えカバーとで形成され、前記基体カバーは、一面側が開口された本体部と、この本体部に一体に形成され前記防水栓を前記コネクタハウジング側へ押圧する防水栓押え壁とを備え、前記防水栓押えカバーは、前記コネクタハウジング側で前記基体カバーの開口部を覆った状態で前記防水栓をコネクタハウジング側へ押圧する防水栓押え壁を備え、前記電線押えカバーは、前記基体カバーとの間で電線を屈曲させて挟持する電線押え壁を備え、前記防水栓押えカバーが前記基体カバーと共に防水栓をコネクタハウジング側へ押圧した後に前記電線押えカバーが前記基体カバーとで電線を屈曲・挟持することを特徴とする。
【００１０】
請求項２記載の発明は、請求項１記載のコネクタであって、前記防水栓押えカバーと前記電線押えカバーは、前記基体カバーの一側部にヒンジを介して一体に成形されていることを特徴とする。
【００１１】
請求項３記載の発明は、請求項１または２記載のコネクタであって、前記防水栓押えカバーと前記基体カバーには、前記コネクタハウジングの電線引き出し側に挿入されて前記防水栓を径方向に押圧するくさび形状の防水栓押圧片が形成されていることを特徴とする。
【００１２】
請求項４記載の発明は、請求項１〜３のいずれか一項記載のコネクタであって、前記基体カバーには第１係合突起と第２係合突起とが設けられ、前記防水栓押えカバーには前記第１係合突起と係合する第１係合枠が設けられ、前記電線押えカバーには前記第２係合突起と係合する第２係合枠が設けられていることを特徴とする。
【００１３】
請求項５記載の発明は、請求項１〜４のいずれか一項に記載のコネクタであって、前記電線押え壁は、防水栓押えカバー側に設けられた前壁と、この前壁より長くなっており前記基体カバーの電線引き出し口側に設けられた後壁と、前壁と後壁とを連結し防水栓押えカバー側から基体カバーの底部にかけて下り傾斜の傾斜連結部とからなることを特徴とする。
【発明の効果】
【００１４】
本発明によれば、防水栓押えカバーによって防水栓をコネクタハウジング側に押圧し、その後、電線押えカバーによって電線を屈曲、挟持するため、コネクタカバーの組み立ての操作力が分散され、操作力を小さくすることができる。このため、コネクタカバーの組み立てが容易となる。
【発明を実施するための最良の形態】
【００１５】
図１は、本発明の一実施形態のコネクタに用いるコネクタカバーの組み立て前の斜視図、図２は、コネクタカバーをコネクタハウジングに取り付けた状態の断面図、図３〜図５は、コネクタカバーをコネクタハウジングに取り付ける手順を示す斜視図である。
【００１６】
この実施形態のコネクタ１は、コネクタハウジング２と、防水栓３と、コネクタカバー４とを備えている。
【００１７】
コネクタハウジング２は、合成樹脂を射出成形することにより形成されており、図２に示すように、その内部には端子収容室６が形成されている。端子収容室６の外側には、端子収容室６の周囲を囲む筒状の外套フード７が形成されている。端子収容室６と外套フード７との間に相手側のコネクタを挿入して嵌合させることにより相手コネクタとの接続が行われる。
【００１８】
図２において、コネクタハウジング２の右端側（後側）は電線引き出し側となっており、この電線引き出し側からコネクタハウジング２に対して電線８が差し込まれる。電線８の端末部分には端子９が取り付けられており、端子９がコネクタハウジング２の端子収容室６に挿入される。防水栓３は、端子９の後側に位置するように電線８に取り付けられる。
【００１９】
防水栓３はゴム等の弾性体からなり、電線８の外面に密着することにより水の侵入を阻止する。コネクタハウジング２における電線引き出し側には、防水栓３が挿入される防水栓挿入筒部２ａが一体形成されている。防水栓挿入筒部２ａへの挿入に際し、防水栓３は防水栓挿入筒２ａの端部よりも幾分、外部に露出する。この露出部分に対しては、後述するように防水栓押えカバー１２によって押圧される。本実施形態において、防水栓３を含むコネクタハウジング２の電線引き出し側は、コネクタカバー４によって覆われる。
【００２０】
図１に示すように、コネクタカバー４は、基体カバー１１と、防水栓押えカバー１２と、電線押えカバー１３との３つの部材からなり、全体が合成樹脂の射出成形によって一体形成されている。基体カバー１１は上面（一側面）が開口しており、この開口部１１ａを防水栓押えカバー１２及び電線押えカバー１３が覆うようになっている。
【００２１】
基体カバー１１に対し、防水栓押えカバー１２はコネクタハウジング側に設けられて開口部１１ａを覆い、電線押えカバー１３は電線引き出し側に設けられて開口部１１ａを覆うようになっている。防水栓押えカバー１２は、第１ヒンジ１５を介して基体カバー１１に連結され、電線押えカバー１３は第２ヒンジ１６を介して基体カバー１１に連結されている。第１ヒンジ１５及び第２ヒンジ１６は、基体カバー１１に対し同じ側に設けられており、これにより防水栓押えカバー１２及び電線押えカバー１３も基体カバー１１に対して同じ側に設けられている。  第１ヒンジ１５を介して防水栓押えカバー１２を基体カバー１１側に回転させることにより、防水栓押えカバー１２が基体カバー１１の開口部１１ａにおけるコネクタハウジング２側を覆う。また、第２ヒンジ１６を介して電線押えカバー１３を基体カバー１１側に回転させることにより、電線押えカバー１３が基体カバー１１の開口部１１ａにおける電線引き出し側を覆う。従って、本実施形態では、防水栓押えカバー１２及び電線押えカバー１３は別個の操作によって基体カバー１１を覆うようになっている。
【００２２】
基体カバー１１は、上述した開口部１１ａを有した本体部２１と、本体部２１に一体に形成された防水栓押え壁２３とを有している。
【００２３】
基体カバー１１の本体部２１は、電線８が挿通される電線挿通部２１ａと、電線挿通部２１ａよりも低くなるように窪んだ窪み部２１ｂとを有している。電線挿通部２１ａは、電線８が引き出される引出口２１ｃに連通している。窪み部２１ｂは、図２に示すように、電線８を屈曲させた際にその屈曲部８ａが落とし込まれる部分である。
【００２４】
基体カバー１１の防水栓押え壁２３は、本体部２１から起立した壁部によって形成されている。また、防水栓押え壁２３は、窪み部２１ｂに対し電線挿通部２１ａの反対側に設けられており、防水栓３に対応した位置となっている。防水栓押え壁２３は、本体部２１の幅方向の略全長に対応する横長状に形成されており、防水栓３の全幅に対応可能となっている。
【００２５】
防水栓押えカバー１２は、基体カバー１１の防水栓押え壁２３に対応した防水栓押え壁３１を有している。防水栓押え壁３１は、防水栓押えカバー１２から起立した壁部によって形成されている。防水栓押え壁３１は基体カバー１１の防水栓押え壁２３に対応するように横長状に形成されている。基体カバー１１の防水栓押え壁２３及び防水栓押えカバー１２の防水栓押え壁３１は、一体となって防水栓３をコネクタハウジング２側に押圧する。この防水栓３の押圧は、防水栓押えカバー１２が基体カバー１１の開口部１１ａを覆った状態で行われる。
【００２６】
電線押えカバー１３は、電線押え壁３５を有している。電線押え壁３５は、基体カバー１１の窪み部２１ｂと対応した位置となるように電線押えカバー１３に形成されている。電線押え壁３５は、図２に示すように、電線８を押さえ込んで電線８に屈曲部８ａを形成するものである。
【００２７】
本実施形態において、電線押え壁３５は、前壁３５ａと、後壁３５ｂと、これらの間の傾斜連結部３５ｃとによって形成されている。前壁３５ａ及び後壁３５ｂは電線押えカバー１３から一体的に起立することにより形成されており、前壁３５ａは防水栓押えカバー１２側に位置し、後壁３５ｂは基体カバー１１の引出口２１ｃ側に位置している。後壁３５ｂは前壁３５ａよりも長く（高く）なるように起立されている。傾斜連結部３５ｃは、前壁３５ａと後壁３５ｂとを連結するように形成されている。電線押え壁３５は、電線押えカバー１３が基体カバー１１の開口部１１ａを覆った状態では、図２に示すように下向きとなって電線８に当接する。このとき、傾斜連結部３５ｃは防水栓押えカバー１２側から基体カバー１１の窪み部２１ｂにおける底部にかけて下り傾斜となる。
【００２８】
以上に加えて、基体カバー１１及び防水栓押えカバー１２には、防水栓押圧片２５、２７が形成されている。これらの防水栓押圧片２５、２７のそれぞれは、基体カバー１１及び防水栓押えカバー１２の防水栓押え壁２３、３１に対し、コネクタハウジング２側に位置するように形成されている。また、防水栓押圧片２５，２７のぞれぞれは、基体カバー１１及び防水栓押えカバー１２に対し、左右２箇所に形成されているが、その数は限定されるものではない。
【００２９】
いずれの防水栓押圧片２５、２７もくさび形状となっており、この形状で防水栓３を径方向に押圧するように作用する。この防水栓押圧片２５、２７の押圧は、防水栓押えカバー１２が基体カバー１１の開口部１１ａを覆った状態で行われる。
【００３０】
以上の防水栓押えカバー１２及び電線押えカバー１３が基体カバー１１を覆った状態を保持するため、係合手段が設けられる。この係合手段は、基体カバー１１に形成された第１係合突起４１及び第２係合突起４３と、防水栓押えカバー１２に形成された第１係合枠４５と、電線押えカバー１３に形成された第２係合枠４７とによって形成されている。
【００３１】
第１係合突起４１及び第２係合突起４３は、基体カバー１１におけるヒンジ１５、１６が設けられた側と反対側の外面に形成されている。第１係合枠４５は、第１係合突起４１に対応するように防水栓押えカバー１２の外面に形成されている。第１係合突起４１が第１係合枠４５に係合することにより、防水栓押えカバー１２が基体カバー１１を覆った状態を保持することができる。第２係合枠４７は、第２係合突起４３に対応するように電線押えカバー１３の外面に形成されている。第２係合突起４３が第２係合枠４７に係合することにより、電線押えカバー１３が基体カバー１１を覆った状態を保持することができる。
【００３２】
次に、本実施形態のコネクタ１の組立手順を図３〜図５により説明する。
【００３３】
図３は、組み立ての第１段階を示す。この段階以前においては、防水栓３が電線引き出し側からコネクタハウジング２の防水栓挿入筒部２ａに挿入され、複数の電線８の端末部分の端子９がコネクタハウジング２の端子収容室６に挿入される。防水栓挿入筒部２ａへの挿入の際には、防水栓３は同筒部２ａから幾分、露出している。
【００３４】
第１段階では、防水栓押えカバー１２を回転させて第１係合枠４５と第１係合突起４１とを係合させ、防水栓押えカバー１２が基体カバー１１の開口部１１ａを覆った状態とする。そして、複数の電線８を基体カバー１１と防水栓押えカバー１２との間に挿入し、この状態でコネクタカバー４の全体を電線８の長さ方向に沿ってコネクタハウジング２方向にスライドさせる。
【００３５】
このスライドにより、基体カバー１１及び防水栓押えカバー１２の防水栓押え壁２３、３１が防水栓挿入筒部２ａから露出している防水栓３の露出部分を押さえつける。この押さえつけにより、防水栓３が押し潰されて反発する。このため、コネクタハウジング２とコネクタカバー４との間のがたつきを防止することができる。また、防水栓押え壁２３、３１による防水栓３の押さえつけにより、端子９とコネクタハウジング２との間のがたつきを防止することができる。
【００３６】
本実施形態では、このような防水栓押え壁２３、３１による防水栓３の押さえつけに加えて、上記操作の際に、防水栓押圧片２５，２７が防水栓３を径方向に押圧する。、このため、防水栓３がさらに良好に押しつぶされ、上述したがたつきをさらに確実に防止することができる。
【００３７】
図４は、組み立ての第２段階を示す。第２段階では、電線押えカバー１３を回転させて第２係合枠４７を基体カバー１１の第２係合突起４３に係合させる。このことにより、電線押えカバー１３は、基体カバー１１の開口部１１ａを覆った図５に示す状態となる。電線押えカバー１３が基体カバー１１を覆うことにより、電線押えカバー１３の電線押え壁３５が電線８に当接して、電線８を窪み部２１ｂに押さえ込むため、窪み部２１ｂに沿って湾曲した屈曲部８ａが電線８に形成される。このことにより電線８が電線押えカバー１３及び基体カバー１１によって挟持される。
【００３８】
このように電線８に屈曲部８ａが形成されることにより、電線８を抜け止め状態とすることができる。また、電線８に振動が入力しても、屈曲部８ａで振動を減衰及び吸収するためコネクタ１に伝達する振動を抑制することができる。
【００３９】
なお、図１〜図５において、符合５１はレバーであり、図５のようにコネクタハウジング２にコネクタカバー４を取り付けたコネクタ１を相手コネクタ（図示省略）に嵌合させるために回動操作されるものである。
【００４０】
このような実施形態では、コネクタハウジング２に対してコネクタカバー４を組み付ける際に、防水栓押えカバー１２及び基体カバー１１の防水栓押え壁２３、３１によって防水栓３を押さえつけ、その後、電線押えカバー１３によって電線８を屈曲・挟持するため、コネクタカバー４の組み立てが段階的となり、操作力が分散される。このため、操作力を小さくすることができ、コネクタカバー４の組み立てが容易となる。
【００４１】
また、本実施形態では、防水栓押えカバー１２及び電線押えカバー１３が第１ヒンジ１５及び第２ヒンジ１６によって基体カバー１１に連結されているため、これらが分離することがなく管理が容易となる。
【００４２】
さらに本実施形態では、電線押え壁３５を前壁３５ａ、後壁３５ｂ及びこれらを連結する傾斜連結部３５ｃによって形成しているため、電線押え壁３５に強度を付与することができる。これにより、電線８に対する屈曲を確実に行うことができる。さらにまた、傾斜連結部３５ｃが下り傾斜となっているため、電線８を確実に屈曲させることができる。
【００４３】
本発明は以上の実施形態に限定されることなく種々変形が可能である。例えば、防水栓押えカバー１２及び電線押えカバー１３をヒンジ１５、１６を介して基体カバー１１に連結することなく、防水栓押えカバー１２及び電線押えカバー１３を基体カバー１１と別部品としても良い。また、電線押え壁３５としては、電線押えカバー１３から起立する板状の突起であっても良い。
【図面の簡単な説明】
【００４４】
【図１】本発明の一実施形態のコネクタカバーの展開状態を示す斜視図である。
【図２】コネクタハウジングにコネクタカバーを組み付けた状態を示す断面図である。
【図３】コネクタハウジングにコネクタカバーを組み付ける第１段階を示す斜視図である。
【図４】コネクタハウジングにコネクタカバーを組み付ける第２段階を示す斜視図である。
【図５】コネクタハウジングにコネクタカバーを組み付けた状態を示す斜視図である。
【符号の説明】
【００４５】
１  コネクタ
２  コネクタハウジング
３  防水栓
４  コネクタカバー
８  電線
８ａ  屈曲部
１１  基体カバー
１２  防水栓押えカバー
１３  電線押えカバー
１５  第１ヒンジ
１６  第２ヒンジ
２１  本体部
２３、３１  防水栓押え壁
２５、２７  防水栓押圧片
３５  電線押え壁
３５ａ  前壁
３５ｂ  後壁
３５ｃ  傾斜連結部
４１  第１係合突起
４３  第２係合突起
４５  第１係合枠
４７  第２係合枠
【図１】
2010086913.tif 000003
【図２】
2010086913.tif 000004
【図３】
2010086913.tif 000005
【図４】
2010086913.tif 000006
【図５】
2010086913.tif 000007